(57)【要約】【課題】円形や方形など一般的な断面形状の竪樋を、竪樋控え具で外観上の見栄えを悪くすることなく確実に建物の壁面に固定できるようにする。【解決手段】建物の壁面に固定される基部（２）と竪樋（Ｇ）の外周に嵌合する腕部（３）を有し、竪樋（Ｇ）に装着した腕部（３）を基部（２）に連結一体化させて竪樋（Ｇ）を壁面に固定する竪樋控え具（１）において、腕部（３）又は基部（２）の一部を光透過性を有する樹脂材料に成形し、透明な部分を通して竪樋（Ｇ）表面に付された模様などが透けて見えるように構成する。【選択図】図１
2007039969.tif 000002
【特許請求の範囲】
【請求項１】
建物の壁面に固定される基部（２）と竪樋（Ｇ）の外周に嵌合する腕部（３）を有し、竪樋（Ｇ）に装着した腕部（３）を基部（２）に連結一体化させて竪樋（Ｇ）を壁面に固定する竪樋控え具（１）において、少なくとも腕部（３）が光透過性を有する樹脂材料に成形されていることを特徴とする竪樋控え具。
【発明の詳細な説明】
【技術分野】
【０００１】
本発明は、竪樋を建物の壁面に固定する竪樋控え具に関する。
【背景技術】
【０００２】
従来の竪樋控え具として、例えば図１に示されるように、竪樋Ｇの外周半面に沿った形状に基部２と腕部３をそれぞれ形成し、一端に腕部３がヒンジ結合された基部２を建物の壁面に釘４などで固定して両部の間に竪樋Ｇを挟み入れ、基部２の他端に腕部３を連結して竪樋Ｇを固定する形態のものや、図２に示されるように、腕部３を竪樋Ｇの外周面を取り囲む「Ω」字型に形成し、竪樋Ｇの外周面に嵌合させた腕部３の両端を壁面に固定された基部２に連結して竪樋Ｇを固定する形態のものが知られている。また、図３に示されるように、竪樋Ｇを周面両側に凹溝Ｇａ、Ｇａを設けて形成し、凹溝Ｇａに嵌め入れた竪樋控え具１の両端部で竪樋Ｇの外周面を挟着固定する形態のものも知られている（例えば特許文献１参照）。
【０００３】
【特許文献１】実開平５−４２４５６号公報
【発明の開示】
【発明が解決しようとする課題】
【０００４】
従来の竪樋控え具１のうち、図１及び図２に示された形態のものは、竪樋Ｇの外側周面に腕部３が巻き付いて露出するようになっている。そのため、竪樋表面の模様が腕部３で隠れ、或いは模様を上下に分断して見栄えを悪くし、また、竪樋Ｇと腕部３とで色調や質感が異なる場合に、竪樋Ｇの外側周面に露出した腕部３が目立って壁面外観の見栄えに違和感を醸し出すという問題があった。
図３に示された形態のものであれば、竪樋Ｇの内側に竪樋控え具１が隠れて竪樋Ｇの外側に露出せず、竪樋表面の見栄えを悪くすることはないが、この形態では竪樋Ｇとして凹溝Ｇａを有する異型断面のものを用いなければならず、丸型や角型などの一般的な断面形状の竪樋Ｇは使用することができない。また、竪樋Ｇの色や表面に付された模様に対応させて、竪樋Ｇと同じ色、模様の竪樋控え具１を形成したのでは、部品の製造や管理にコストがかかってしまう。
【０００５】
本発明は従来技術の有するこのような問題点に鑑み、一般的な断面形状の竪樋を、竪樋控え具で外観上の見栄えを悪くすることなく確実に建物の壁面に固定できるようにすることを課題とする。
【課題を解決するための手段】
【０００６】
前記課題を解決するため本発明は、建物の壁面に固定される基部と竪樋の外周に嵌合する腕部を有し、竪樋に装着した腕部を基部に連結一体化させて竪樋を壁面に固定する竪樋控え具において、少なくとも腕部が光透過性を有する樹脂材料に成形されていることを特徴とする。
【０００７】
これによれば、竪樋控え具の腕部が透明に形成されており、腕部が竪樋の周面に嵌合して表面に露出していても、腕部を通して竪樋表面に付された模様などが透けて見えるので、従来例のような竪樋表面の模様が腕部で覆い隠れたり上下に分断されたりして見栄えを悪くするようなことはなく、また、腕部が目立つこともなく、壁面の外観を一体性のあるすっきりとしたものに収めることができる。
竪樋控え具は、竪樋を壁面に固定可能な形状であれば、竪樋の色や模様、質感などとは無関係に使用することができ、竪樋の色などに応じた品揃えが不要となり、部材コストの低廉化を図ることができる。
【０００８】
光透過性の樹脂材料としては、ポリカーボネート系、オレフィン系、ＰＶＣ系などの熱可塑性樹脂を用いることができる。成形は、射出成形や、例えば透明な板材にベンダー曲げとスリット加工を施すといった曲げ加工などの、適宜な加工手段により行われ、成形品は、竪樋に重ねて取り付けられた成形品の外側から竪樋表面の色や模様を透過認識することが可能な透明度に成形される。竪樋表面の色や模様を透過認識可能であれば、表面に光沢を与え、或いは艶消しにしたり、梨地模様としたりしてもよい。
【０００９】
本発明の竪樋控え具において、腕部は、その全体を透明に設けても、竪樋の外側に露出する部分のみを部分的に透明に設けても何れでもよい。腕部とともに基部を透明に設けて竪樋控え具全体を透明としてもよい。なお、腕部と基部の形状は、支持する竪樋の断面形状に対応した形状であって、両部の内周面で竪樋の外周面を確実に保持して建物の壁面に固定することのできる形状に形成される。
【発明を実施するための最良の形態】
【００１０】
本発明の好適な実施形態を図面を参照して説明する。
先に述べた通り、本発明の竪樋控え具１は、建物の壁面に固定される基部２と竪樋Ｇの外周に嵌合する腕部３を有し、竪樋Ｇに装着した腕部３を基部２に連結一体化させて竪樋Ｇを壁面に固定するものであって、竪樋Ｇの外側に露出する部分である腕部３を光透過性を有する樹脂材料に成形した形態のものである。腕部３とともに基部２も、その全体を或いは部分的に光透過性材料により成形してもよい。
【００１１】
前記図１に示した形態の竪樋控え具１では、腕部３ととともに基部２の直角に折れ曲がった両側部２１、２１の部分を透明に設ければ、壁面に固定された竪樋Ｇをその正面又は側面の何れの側から見ても、竪樋Ｇの外周に嵌合した透明な腕部３と基部２の側部２１を通して竪樋Ｇの表面の模様などが透けて見え、従来の竪樋控え具１を利用して取り付けたときよりも、竪樋表面の見栄えが良くなり、壁面の外観を一体性のあるすっきりとしたものに収めることができる。
【００１２】
また、前記図２に示した形態の竪樋控え具１では、腕部３のみを透明に設ければ、竪樋Ｇの外周に装着した腕部３を透過して竪樋表面の色や模様が見え、竪樋Ｇの外観の見栄えが悪くなるようなことはない。
【００１３】
本発明の竪樋控え具１は、壁面に固定する竪樋Ｇの断面形状に対応させた形状及び寸法に設けることができる。例えば図４に示されるように、竪樋Ｇが円形断面の場合は基部２と腕部３を竪樋Ｇの周囲を保持する円形枠状に、方形断面の場合には同様に方形枠状にそれぞれ設けることができる。何れの形状であっても、竪樋Ｇに嵌合させたときにその外周に露出する基部２又は腕部３の部分を透明に設けることにより、外側から見たときに、竪樋表面の色や模様などを透過認識させることが可能である。
【００１４】
なお、図示した竪樋控え具、基部及び腕部の形態は一例であり、本発明は図示した形態に限定されず、他の適宜な形態に構成可能である。
【図面の簡単な説明】
【００１５】
【図１】従来及び本発明が適用される一形態の竪樋控え具を示した図である。
【図２】従来及び本発明が適用される他の形態の竪樋控え具を示した図である。
【図３】従来の竪樋控え具の一形態を示した図である。
【図４】本発明が適用される他の形態の竪樋控え具を示した図である。
【符号の説明】
【００１６】
１  竪樋控え具、２  基部、３  腕部、４  釘、Ｇ  竪樋
【図１】
2007039969.tif 000003
【図２】
2007039969.tif 000004
【図３】
2007039969.tif 000005
【図４】
2007039969.tif 000006